(57)【要約】      （修正有）【課題】収納具が倒れてしまった場合にも、ペン類が散乱しないペン掛けを提供する。【解決手段】ペン類Ｐのクリップが掛けられる板状のクリップ掛けＡ２を主体とするペン掛けＡである。【選択図】図１７
2014240176.tif 000002
【特許請求の範囲】
【請求項１】
ペン類の軸に装着されたクリップを、一定の厚さを持った板状のクリップ掛けに弾発係止させ、ペン本体を空間に浮かせて保管することを特徴としたペン掛け
【発明の詳細な説明】
【技術分野】
【０００１】  本発明は、ペン、ボールペン等の筆記具の整理収納にクリップの弾発力を利用したペン掛けに関する。
【背景技術】
【０００２】  ペン立て、ペンスタンド、筆立て等の名称のものは、全てペン等の筆記具を縦に入れる置物である。取り出しにくいこと、ペン先を傷める恐れがあること、埃や塵がたまりやすいこと、転倒の恐れがあること等から幾多の発明、考案がある。しかし、発明、考案の商品が文房具店等の市場で販売されている光景を私は見ることがなかった。
【先行技術文献】
【特許文献】
【０００３】
【特許文献１】特開２００３−２３７２８６  公開特許公報
【特許文献２】特開２００３−２４６１８８  公開特許公報
【特許文献３】特開２００８−１４９６９３  公開特許公報
【発明の概要】
【発明が解決しようとする課題】
【０００４】  市販されている商品を見るとほとんどは、筒型、箱形のペン立て、スタンドと称するもので、筆記具や文具の小物入れとしての利用を想定して販売されている。これらの物にペン等の筆記具を入れて利用した場合、地震の際に倒れたりすると中の筆記具類は、入れ物から飛び出し散乱してしまう。【０００５】  本棚等の大きなものは、壁面固定、天井からの突っ張り棒など地震対策はとられているが、ペン立てなど小物類の地震対策など対策の施しようがなかった。人は、地震の際は机の下で落下物から身を守ることを教わっている。しかし、円柱形の筆記具類が散乱した床面では、揺れの収まった時に逃げ出そうにも、ころころ転がる筆記具に足を取られ転倒のリスクは高く、危険である。筆記具の収納に関しての地震対策は、見過ごされている課題であることを、市販品のペン立、ペンスタンド等から伺うことができる。【０００６】  また、散乱した筆記具を現状に回復するのも、拾い集めて、さらに上下をそろえる等手間のかかる作業である。特に筆記具類を陳列販売する店では、多品種多種類を分類整理するだけでも膨大な時間を費やすことになろう。ペン類の収納用具が倒れたときに収納した筆記具が散乱しないようにすること、収納構造が簡単であることが本発明の解決課題である。
【課題を解決するための手段】
【０００７】  ほとんどの筆記具には、衣類のポケットに納める想定のクリップが装着されている。しかし、収納方法は、立てて置く方法、寝かせて置く方法でクリップの機能を全く使うことのない収納の仕方である。【０００８】  本発明は、ほとんどの筆記具に具備しているこのクリップの、物を挟んで筆記具本体の定位置を保持するという機能を生かして、たとえ収納整理用具が倒れても、筆記具が散乱しない、地震が来ても安心なペン掛けである。【０００９】  即ち、筆記具のクリップが掛けられる板状のクリップ掛けを台座に固定する最も簡明な構造のペン掛けである。ペン掛けにペンが引っかかればよい構造とし、周りを囲う、囲わないの問題は、デザイン性や清潔感の問題である。本発明は、収納用具として周りを囲わなくてもよい構造とするのを特徴とする。【００１０】  本発明は、クリップ掛けにペンを掛け、ペン先が台座に接しない高さを保つものとする。即ち空間に浮かせて保管することがペン掛けの第二の特徴である。
【発明の効果】
【００１１】  ペン掛けは、倒れても掛けられたペンのクリップの把握力により、ペン掛けから離れることなく、とどまっているので、地震の揺れによる転倒にも掛けたペンの散乱の危険を回避することができる。
日常的には、ペン掛けが倒れてもペンは散乱しないので、倒れたペン掛けを立て直すだけで済むので、原状回復が極め簡単である。現在市販されているペンスタンド、ペン立てなどの入れ物が倒れた場合は、まず、散乱した筆記具の拾い集め、集めた物の上下そろえ、物により入れる順番を決めて入れ物に納めるという複数の工程をたどらなければならない。これと比較したペン掛けの原状回復は、立て直すという１工程で、極めて簡単明瞭でかつスピーデーな現状回復である。【００１２】  本件発明の空間に浮かせるという第二の特徴は、従来の平面上に置く限定的場面から立体場面にも設置できるという特徴を併せ持つ。即ちクリップ掛けのあるところ卓上は元より、壁面、さらに天井から吊せば空間の至る所が設置場所になり得る。本発明は、発想次第では、幾多の応用の可能性を秘めたものである。【００１３】  筆記具を掛けることにより、掛けた筆記具は定位置を保ち、その場所には、他の筆記具を重ねて掛けられないから、筆記具は並列に並び掛けられる。一目瞭然である。目的のものを取り出し易く、収納もし易く無駄な作業がなくなり、作業能率が向上する。【００１４】  ペン先は、空間にあるので、ペン先を傷めることは全くない。【００１５】  台座にたまる塵埃もたまり具合が一目瞭然で、卓上の清掃と同じレベルの拭き掃除で済ますことができ清潔である。現在市販されているペンスタンド、ペン立てなどの入れ物が倒れた場合に気づくのは、塵や埃も意外に多く出てくることである。そのため、従来の入れ物が倒れた場合には、入れ物の清掃をしなくてはならない経験は、入れ物設置以来、清掃したことがない場合ほど可能性が高い。入れ物は、底に溜まる塵や埃が見えないので、定期清掃を心がけないと清潔と思い込み使い続けることになり、それは、塵埃を底に溜め込み続けていることに他ならない。ペン掛けは、用具全体が見えるという構造で死角がないので、埃の溜まり具合で清掃の判断ができる。【００１６】  最も簡単なペン掛けは、クリップ掛けを壁面固定としたペン掛けである。卓上型のペン掛けは、クリップ掛けと台座の組み合わせであるので構造が単純で、明確かつ製作も簡単である。【００１７】  一目瞭然の効果は、掛けた筆記具の全体像が見られることと、並列に整頓すると筆記具の比較ができることになるので、ペン類の多様化に伴い、色彩とデザインの展示台としての利用ができる。
また、１列に並んだ状態の個数を定数として把握し、並びの中に隙間ができていれば定数減であることが一目瞭然でもあることから、日々の商品管理の現認に優れている。隙間があれば何個掛けられるかで販売個数と突き合わせることができる。月締めの棚卸しも楽である。【００１８】  卓上型ペン掛けは、机上の狭いところでも設置でき、省スーペスである。壁面据え付けのペン掛けは、ペンの収納場所が壁面に移転するので、机上には空きができ、さらに省スペースになる。引っかけ式のペン掛けは、液晶デスプレイの背面のデッドスペースを活用できるので、机まわりを整理できる。【００１９】  今まで、引き出しの中や小物入れに、ボールペン、蛍光ペン、鉛筆等の筆記具に混じり、消しゴム、はさみ、ホッチキス、定規等を混在して保管していた。ペン掛けは、掛ける機能を持ったものを対象とするので、ペン類は、引き出しや小物入れからペン掛けに移動すると机の引き出しや小物入れには置くだけの物の整理になる。
ペン掛けは、机の中や小物入れから掛ける物と置く物とに分類し整理整頓を促す用具になる。丁度衣類の整理にタンスのように置く物とハンガーにかけ取り出し易くする物との整理整頓に似ている。
【図面の簡単な説明】
【００２０】
【図１】本発明の実施形態の例、実施例１の斜視図
【図２】同じく、実施例２の斜視図
【図３】同じく、実施例３の斜視図
【図４】同じく、実施例４の斜視図
【図５】同じく、実施例５の斜視図
【図６】同じく、実施例６の斜視図
【図７】同じく、実施例７の斜視図
【図８】同じく、実施例８の斜視図
【図９】同じく、実施例９の同様な３タイプの斜視図
【図１０】同じく、実施例１０の斜視図
【図１１】同じく、実施例１１の斜視図
【図１２】同じく、実施例１２の斜視図
【図１３】同じく、実施例１３の斜視図
【図１４】同じく、実施例１４の斜視図
【図１５】実施例１の使用例の側面図
【図１６】同じく正面図
【図１７】同じく斜視図
【図１８】３種類（１Ｋ、２Ｋ、３Ｋ）のクリップの特徴と３Ｋのクリップが開いた状態を示すそれぞれの側面図
【図１９】劣化しやすいクリップ１Ｋのクリップ掛けの最適厚さを検討した３つの側面図（１Ｋ，１Ｋ’，１Ｋ”）
【発明を実施するための形態】
【００２１】  図１から図１４に示す実施形態は、ペンのクリップをクリップ掛け木端Ａ１に掛けて、ペンを空中に浮かせることにより収納整理を図るペン掛けで、図１から図８までは独立した自立型ペン掛けで、安全性のリスクを考慮して実施する。
【００２２】  図９から図１４に示す実施形態は、各種の本体に取り付ける板状クリップ掛けＡ２のペン掛けで、安全性は本体に依存するので、取り付け位置・場所及び使い勝手は、本体と共に総合的に考慮して実施するものである。
【００２３】  実施に当たっては、一般家庭で使用するペン掛けとする。身の回りには、多種多様なペン類が有り、ペン類のクリップの形、長さ、クリップの幅、弾発力の発生形態など様々である。従って特定の物だけのペン掛けではなく、汎用性のあるペン掛けを目指す。このため図１から図１４の板状クリップ掛けＡ２の厚さは、ペン掛けの最も重要な部分で、倒れても掛けたペンが外れない程度のクリップの弾発力が維持できることが必要である。また、掛けておくことによる弾発力の疲労劣化が起こりにくい厚さであることも必要である。
このように考えるのは、図１８の軸一体形クリップ１Ｋと軸別素材クリップ２Ｋのクリップの「しなり」による弾発力の発生である。クリップ３Ｋは、バネによる弾発力の発生で、掛けておくことによる疲労劣化が起こりにくい構造で、疲労劣化をもたらす板状クリップ掛けＡ２の厚さは考慮しなくてもよい存在である。
汎用性を考える場合、一番弱い構造のものに焦点をあてて作成することが求められる。
【００２４】  最も板状クリップ掛けＡ２の厚さを考慮しなければならないのは、図１８の１Ｋの軸一体形クリップである。図１９の１Ｋ’と１Ｋ”は軸一体形クリップ１Ｋの「しなり」の発生場所である弾発力発生箇所Ｋ２のしなり具合を表した図である。１Ｋ’は、クリップを開口して掛けるためにクリップの隙間の幅α１より広げ、α１の２倍の幅に広げたところ弾発力発生箇所Ｋ２の復元力は著しく低下し完全には元に戻らなかった。弾発力発生箇所Ｋ２のしなっても復元する力が保てる開口幅はどのくらいになるか試してみたところ、１Ｋ”のクリップ開口幅クリップ隙間の幅の３分の２のα４のときが正常に復元され限界であることがわかった。
本発明のペン掛けの重要な部分、板状クリップ掛けＡ２の厚さは、クリップ隙間の幅３分の２程度の厚さα４として実施する。このことにより、様々なクリップにも対応できる汎用性のあるペン掛けとなる。
また、厚さは、均一なものとして実施する。均一であれば、掛けやすく、とりやすいためである。
弾発力を劣化させない方法は、図１２のクリップ先端突起Ｋ１位置で、板状クリップ掛けＡ２の厚さが０に近づけることで、弾発力の解放を図るものである。しかし、ペン類のクリップの規格統一のない不揃いの現状では、より多く掛けられ、平均的弾発力を発揮できる厚さの板状クリップ掛けとして実施するものである。ただし、展示品や陳列用途の場合には、クリップの規格構造が統一されているはずだから、掛けた状態で弾発力が解放されるものも実施例で提案する。
【実施例１】
【００２５】  図１は、衝立型ペン掛けと仮称し、板状のほぼ均一の厚さの合成樹脂製で板状クリップ掛けＡ２を台座Ａ３で挟み込んだもので、クリップかけ木端Ａ１にペンのクリップを掛ける。クリップ掛け木端Ａ１と台座Ａ３までの高さαは、筆記具がクリップ掛けに掛かった状態で台座に接しない高さを確保する。板状クリップ掛けＡ２は、表裏どちらにも使えると共に、その両端には、掛けたペンが外れないよう脱落防止措置Ａ５を備える。このＡ５は、図１２のα１の２倍程度ならずり落ちない。板状クリップ掛けＡ２の厚さは、クリップ開口幅クリップ隙間の幅の３分の２のα４程度が適当である。
板状クリップ掛けＡ２は、透明の合成樹脂製が適当であるが、金属製でも差し支えない。
【実施例２】
【００２６】  図２のＢは、図１衝立型ペン掛けＡの下部の部分をカットした水門型ペン掛けと仮称し、合成樹脂製で板状クリップ掛けＡ２を支持具Ｂ１の一対で挟み込み、台座Ａ３に固着したペン掛けである。クリップの弾発力は、図１１のクリップ先端突起Ｋ１の位置が起点で働くため、板状クリップ掛けＡ２の幅は、ペンのクリップの長さ程度あれば十分であるから、下部をカットした構造のペン掛けでも機能上問題がない。図２の板状クリップ掛けＡ２は、合成樹脂製が適当であるが、堅い板、竹、金属でもよい。板状クリップ掛けＡ２の厚さは、クリップ開口幅クリップ隙間の幅の３分の２のα４程度が適当である。
【実施例３】
【００２７】  図３は、水門型ペンかけアレンジして平行に２列配置したペン掛けである。ゼムクリップ、ダブルクリップ等のクリップ類の整理とペンの整理収納を図る多機能型ペン掛けで、支持板Ｂ１には、マグネットシートＢ２を貼り付け金属製のクリップを貼り付けることができる。
【実施例４】
【００２８】  図４は、吊り掛け式鶴首型ペン掛けと仮称し、板状クリップ掛けＡ２から支持具Ｂ１に至る部分を鉄製丸棒又は、角棒を一体整形し、台座Ａ３に固着したペン掛けである。台座は、陶磁器又は瀬戸物等の焼き物若しくは鋳物等で、台座の重量を重くすることにより安定を保ち省スペース化を図ったペン掛けである。製造工程が多方面にわたるので、高級品のペンを掛けるのがふさわしい作りとする。板状クリップ掛けＡ２の幅は、クリップ先端突起Ｋ１の位置で０にするほどの幅としてデザインした。ずり落ち防止の脱落防止措置Ａ５は省けない。このＡ５は、同じ材質で厚めに加工する。
【実施例５】
【００２９】  図５は、板状クリップ掛けＡ２を上から吊るようにして支柱１本で支えるペン掛けで吊り掛け式ボード型ペン掛けと仮称する。板状クリップ掛けＡ２を合成樹指製、堅い板、竹、金属などで作り、金属又は、合成樹脂製の支持具Ｂ１につり下げたペン掛けである。板状クリップ掛けの厚さは、クリップ開口幅クリップ隙間の幅の３分の２のα４程度とするのが適当である。台座は、実施例５と同様陶磁器又は瀬戸物等の焼き物若しくは鋳物等が適当である。
【実施例６】
【００３０】  図６は、多段式陳列型ペン掛けと仮称するペン掛けである。実施例２の水門型ペン掛けを階段状に重ねたペン掛けで、掛けたペンの全姿が見えるようにし、段間の高さをペンの全長に等しくとったペン掛けである。ペン陳列用の利用に適している。クリップの構造も同一となろうから、クリップ突起図１８のＫ１の位置に図中Ｄ３のように溝を設ければ、クリップの弾発力の解放がはかれ、クリップの劣化を防止できる。板状クリップ掛けは、合成樹脂製が適当であるが、堅い板、竹、金属でもよい。その厚さは、クリップ開口幅クリップ隙間の幅の３分の２のα４とする。
【実施例７】
【００３１】  図７は、実施例６の応用で、狭いスペースにより多く収納する場合は、２段目以降の高さを低くして段数を増やしたペン掛けである。材質等は、実施例６に準ずる。
【実施例８】
【００３２】  図８は、ペン掛け陳列ケースと仮称する。ペンの商品陳列収納具である。
図８のペン掛け陳列ケースのクリップ掛け木端Ａ１には、見本のペンを掛ける。見本と同種同様の規格色彩のペンは、仕切り板Ｅ４で仕切られた部分に保管する。ペン掛け陳列ケースが倒れても、中のペンが飛び出し散乱しないよう板状クリップ掛けＡ２は蓋の役割を持たせるものとし、ストッパーＥ６で、通常は開かないようにする。ストッパーＥ６を左右いずれかにひねり倒し、板状クリップ掛けＡ２をフリーにする。１／４の円弧βの軌跡のように上に持ち上げて開き、収納されたペンを取り出す。
板状クリップ掛けＡ２は、中が見えるよう透明の合成樹脂製が適当である。その厚さは、クリップ開口幅クリップ隙間の幅の３分の２のα４程度とするのが適当である。棚板Ｅ３の間隔は、ペンの長さより長めが適当である。仕切り板Ｅ４の間隔は、見本のペンが収まりやすい間隔とし、横置き積み重ね保管が適当である。
【実施例９】
【００３３】  図９のＦ、Ｆ’及びＦ”は、据え付け型ペン掛けと仮称し、板状クリップ掛けのみのペン掛けである。合成樹脂製で板状クリップ掛けＡ２を壁面Ｆ２に固着したペン掛けである。
壁面Ｆ２の素材によりビス留め、マグネット止め、ボンド止め等の固着の方法がある。壁面Ｆ２とクリップ掛けＡ２の間隙Ｆ３は、筆記具以上の幅は必要ない。クリップ面を外に向けるか、内側に向けるかは、壁面が通路など強い外圧が加わる恐れがあるところでは外向きに筆記具が掛けられるよう筆記具直径よりやや大きめとする。
図９のＦ’は、マグネットで板状クリップ掛けＡ２を壁面Ｆ２に固着したペン掛けである。
図９のＦ”は、取っ手状の板状クリップ掛けＡ２を壁面Ｆ２に固着したペン掛けである。
図９のＦ、Ｆ’、Ｆ”の材質は、合成樹脂製が適当であるが、金属、堅い板、竹でもよく、壁面Ｆ２との相性による。それらの板状クリップ掛けＡ２の厚さは、クリップ開口幅クリップ隙間の幅の３分の２のα４程度とするのが適当である。なお、これらペン掛けは、自身での転倒の恐れは無いので、クリップ突起の位置で０となる様な幅でも良い。つまり、クリップ掛けＡ２の幅は、クリップ隙間の長さα２より若干短くても機能的に問題ない。ただし、その場合には取り出す時に図１１のクリップ先端突起Ｋ１の抵抗がある。
【実施例１０】
【００３４】  図１０は、回転式ペン掛けと仮称し、本立てのコーナー等にヒンジＧ３に板状クリップ掛けＡ２を取り付け、板状クリップ掛けＡ２が壁面Ｆ２から本立て側板木端Ｇ１面に至る２７０度回転するペン掛けである。本立て側板木端Ｇ１面に板状クリップ掛けＡ２があると本の出し入れに支障を来す場合は、壁面Ｆ２側に納めておく。
クリップ掛けＡ２は、垂直の短い辺で水平の長辺となるクリップ木端Ａ１に掛かるペンの重量を支えるので、堅めの合成樹脂製あるいは金属が適当である。板状クリップ掛けＡ２の厚さは、図１２の１Ｋ”のα４程度、即ちクリップ隙間の幅の３分の２程度とするのが適当である。
【実施例１１】
【００３５】  図１１は、ブックエンドに付加したペン掛けである。ブックエンドは、金属製が好ましい。隙間Ｆ３は、クリップの先端が楽に通る幅であればよく、ブックエンドの機能を損なうことがない。ただし、ブックエンドの厚さに依存することになると、掛けられるクリップの制限がでる。汎用性を持たせるには、板状クリップ掛けＡ２の部分を本体と異なる薄く加工する。即ちクリップ隙間の幅の３分の２程度の厚さとするのが適当である。
【実施例１２】
【００３６】    図１２は、タワー型パソコンに掛けて使用するペン掛けである。自在に曲がる金属の帯状の支持具Ｉ１に板状クリップ掛けを固着したペン掛けである。設置場所は、パソコンの余熱吹き出し口、空気吸入口をふさがないよう、また、取り出し収納し易い位置に設置にする。パソコンへの固着の方法は、接着が適当である。Ａ２の素材は、合成樹脂製、堅い板、竹で、金属は重いので避けた方が無難である。
【実施例１３】
【００３７】  図１３は、液晶ディスプレイの背面に設置するペン掛けである。液晶ディスプレイは薄型化し、ディスプレイの背面の部分に意外と広いスペースができている。背面設置の場合は、前面から見えなくなるため前面からでも掛けたペンが確認できるよう高さを調整する。
液晶ディスプレイ本体への固着の方法は、接着の方法が適当である。Ａ２の素材は、合成樹脂製、堅い板、竹で、金属は重いので避けた方が無難である。
【実施例１４】
【００３８】    図１４は、パソコンラックの棚板に取り付けるペン掛けである。棚板取り付け金具１２で取り付け、板状クリップ掛けＡ２は、使用し易い位置に板状クリップ掛け留め具１３で固定する。板状クリップ掛けＡ２の両端には、振動などで掛けたペンが落ちないよう脱落防止措置Ａ５を設ける。Ａ２の素材は、金属が望ましい。
板状クリップ掛けＡ２の厚さは、クリップ開口幅クリップ隙間の幅の３分の２のα４程度とするのが適当である。
【符号の説明】
【００３９】Ａ−−−  衝立型ペン掛け（仮称）
Ａ１−−  クリップ掛け木端
Ａ２−−  板状クリップ掛け
Ａ３−−  台座、架台
Ａ４−−  板状クリップ掛け挟み込み溝
Ａ５−−  脱落防止措置
α−−    高さ、長さ、幅
Ｂ−−    水門型ペン掛け（仮称）
Ｂ１−−  支持板、支柱
Ｂ’−    多機能型ペン掛け（仮称）
Ｂ２−−  マグネットシート
Ｂ３−−  安定板
Ｐ１−−  シャープペンシル
Ｐ２−−  ボールペン１
Ｐ３−−  ボールペン２
ＺＫ−−  ゼムクリップ
ＧＫ−−  ジャンボゼムクリップ
ＷＫ−−  ダブルクリップ
Ｃ−−    吊り掛け式鶴首型ペン掛け（仮称）
Ｃ’−−  吊り掛け式ボード型ペン掛け（仮称）
Ｄ−−    多段式陳列型ペン掛け（仮称）
Ｄ’−−  多段式収納型ペン掛け（仮称）
Ｄ１−−  板状クリップ掛け支持具、側板
Ｄ２−−  底板、底面
Ｄ３−−  クリップ先端突起溝
Ｅ−−    ペン掛け陳列ケース（仮称）
Ｅ１−−  天板
Ｅ２−−  側板
Ｅ３−−  棚板
Ｅ４−−  仕切り板
Ｅ５−−  底板
Ｅ６−−  ストッパー
Ｅ７−−  衝撃緩和突起
β−      Ａ２の開閉時の軌跡
Ｆ、Ｆ’、Ｆ”−−  据え付け型ペン掛け
Ｆ１−−  卓上面、本立て木口
Ｆ２−−  壁面、本立て側面板、
Ｆ３−−  隙間
Ｆ４−−  留め具穴
Ｇ−−    回転式ペン掛け（仮称）
Ｇ１−−  本立て側面板木端、机正面
Ｇ２−−  本立て側面板コーナー、
Ｇ３−−  ヒンジ
Ｈ−−    ペン掛け付きブックエンド（仮称）
Ｉ−−    タワー型デスクトップパソコン用ペン掛け（仮称）
Ｉ’−−  液晶ディスプレイ背面用ペン掛け（仮称）
Ｉ”−−  パソコンラック棚板吊り下げペン掛け（仮称）
Ｉ１−    引っかけ金具
Ｉ２−−  棚板取り付け金具
Ｉ３−−  板状クリップ掛け留め具
Ｐ−−−−ペン類
Ｐ１−−  シャープペン
Ｐ２−−  ボールペン１
Ｐ３−−  ボールペン２
Ｐ４−−  ボールペン３
Ｋ−−−  クリップ
１Ｋ−−  軸一体形クリップ
２Ｋ−−  軸別素材クリップ
３Ｋ−−  バネ式クリップ
３Ｋ’−−バネ式クリップ開き
Ｋ１−−  クリップ先端突起
Ｋ２−−  弾発力発生箇所
１Ｋ’−−軸一体形クリップ開き不適
１Ｋ”−−軸一体形クリップ開き適
α１−−  クリップ隙間の幅
α２−−  クリップ隙間の長さ
α３−−  クリップ開口幅クリップ隙間の幅の２倍
α４−−  クリップ開口幅クリップ隙間の幅の３分の２
【図１】
2014240176.tif 000003
【図２】
2014240176.tif 000004
【図３】
2014240176.tif 000005
【図４】
2014240176.tif 000006
【図５】
2014240176.tif 000007
【図６】
2014240176.tif 000008
【図７】
2014240176.tif 000009
【図８】
2014240176.tif 000010
【図９】
2014240176.tif 000011
【図１０】
2014240176.tif 000012
【図１１】
2014240176.tif 000013
【図１２】
2014240176.tif 000014
【図１３】
2014240176.tif 000015
【図１４】
2014240176.tif 000016
【図１５】
2014240176.tif 000017
【図１６】
2014240176.tif 000018
【図１７】
2014240176.tif 000019
【図１８】
2014240176.tif 000020
【図１９】
2014240176.tif 000021